(57)【要約】【課題】使い勝手を向上させた建具を提供する。【解決手段】浴室と脱衣室との間に設置される建具であって、前記浴室と前記脱衣室とを連通させる開口部を有する枠体と、前記開口部を開閉可能に前記枠体に支持される障子と、前記枠体と前記障子との間に設けられ、前記障子で仕切られる前記浴室側と前記脱衣室側とを連通させる通気部と、前記通気部を開閉する開閉部材と、前記枠体又は前記障子の前記浴室側に設けられ、前記開閉部材を開閉動作させるための第１操作部と、前記枠体又は前記障子の前記脱衣室側に設けられ、前記開閉部材を開閉動作させるための第２操作部と、を備えたことを特徴とする建具である。【選択図】図３
2019143435.tif 000002
【特許請求の範囲】
【請求項１】
浴室と脱衣室との間に設置される建具であって、
前記浴室と前記脱衣室とを連通させる開口部を有する枠体と、
前記開口部を開閉可能に前記枠体に支持される障子と、
前記枠体と前記障子との間に設けられ、前記障子で仕切られる前記浴室側と前記脱衣室側とを連通させる通気部と、
前記通気部を開閉する開閉部材と、
前記枠体又は前記障子の前記浴室側に設けられ、前記開閉部材を開閉動作させるための第１操作部と、
前記枠体又は前記障子の前記脱衣室側に設けられ、前記開閉部材を開閉動作させるための第２操作部と、
を備えたことを特徴とする建具。
【請求項２】
前記第１操作部と前記第２操作部とを連動させる連動機構をさらに備えたことを特徴とする請求項１記載の建具。
【請求項３】
前記障子は、前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸であり、
前記開閉部材と前記第１操作部と前記第２操作部とは、前記障子の前記軸支部に設けられていることを特徴とする請求項１又は２に記載の建具。
【請求項４】
前記障子は、前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸であり、
前記枠体は、前記軸支部に隣接する隣接部を有し、
前記開閉部材と前記第１操作部と前記第２操作部とは、前記枠体の前記隣接部に設けられていることを特徴とする請求項１又は２に記載の建具。
【発明の詳細な説明】
【技術分野】
【０００１】
本発明の態様は、一般的に、建具に関する。
【背景技術】
【０００２】
浴室と脱衣室との間の開口部に設置される折り戸や開き戸の建具がある。こうした建具において、浴室内での換気扇などの駆動に応じて脱衣室側から自動的に浴室内に通気するための通気部（換気経路）を設けることが知られている。
【０００３】
一方で、例えば、浴室内に湯水を噴霧することで、ミストサウナを楽しめる浴室も知られている。ミストサウナを実施するためには、上述した通気部を閉じ、ミストが脱衣室側に出ないようにしなければ、脱衣室側にミストが充満してしまい、脱衣室が濡れてしまったり、カビなどの発生の原因となったりしてしまう可能性がある。従って、通気部を開閉する開閉部材及びこの開閉部材を動作させるための操作部が必要である。
【０００４】
通気部を開閉する開閉部材を動作させるための操作部を建具の脱衣室側に設けると、例えば、入浴者が入浴途中にミストサウナを動作させようとした場合に、ミストサウナを実施するために一度脱衣室に移動しなければならず、使い勝手が悪い。反対に、操作部を建具の浴室側に設けると、例えば、浴室内で換気扇などを駆動するために、作業者は一度浴室に入室しなければならず、やはり使い勝手が悪い。
【先行技術文献】
【特許文献】
【０００５】
【特許文献１】特開２０１５−２２７５６３号公報
【発明の概要】
【発明が解決しようとする課題】
【０００６】
本発明は、かかる課題の認識に基づいてなされたものであり、使い勝手を向上させた建具を提供することを目的とする。
【課題を解決するための手段】
【０００７】
第１の発明は、浴室と脱衣室との間に設置される建具であって、前記浴室と前記脱衣室とを連通させる開口部を有する枠体と、前記開口部を開閉可能に前記枠体に支持される障子と、前記枠体と前記障子との間に設けられ、前記障子で仕切られる前記浴室側と前記脱衣室側とを連通させる通気部と、前記通気部を開閉する開閉部材と、前記枠体又は前記障子の前記浴室側に設けられ、前記開閉部材を開閉動作させるための第１操作部と、前記枠体又は前記障子の前記脱衣室側に設けられ、前記開閉部材を開閉動作させるための第２操作部と、を備えたことを特徴とする建具である。
【０００８】
この建具によれば、浴室側に１操作部を設けたので、入浴者が入浴途中にミストサウナを実施しようとした場合に、一度脱衣室側に移動する必要がない。そして、脱衣室側に第２操作部を設けたので、作業者が浴室内で換気扇などを駆動しようとした場合に、一度浴室側に移動する必要がない。従って、使い勝手を非常に向上させることができる。
【０００９】
第２の発明は、第１の発明において、前記第１操作部と前記第２操作部とを連動させる連動機構をさらに備えたことを特徴とする建具である。
【００１０】
この建具によれば、脱衣室にいる人が、第２操作部を視認することで、開閉部材の開閉の状態を認識することができる。例えば、入浴者が入浴中である際に、ミストサウナを実施している可能性があることを、第２操作部の状態を視認することで、脱衣室にいる人に認識させることができる。これにより、ミストサウナの実施中に誤って障子を開けてしまい、ミストを脱衣室側に漏らしてしまうなどの事態の発生を抑制することができる。
【００１１】
第３の発明は、第１又は第２の発明において、前記障子は、前記枠体に軸支される軸支部と、前記軸支部から横方向に離れた位置に設けられた戸先部と、を有し、前記枠体に対して前記軸支部を軸に前記開口部を開閉可能に支持される折り戸又は開き戸であり、前記開閉部材と前記第１操作部と前記第２操作部とは、前記障子の前記軸支部に設けられていることを特徴とする建具である。
【００１２】
この建具によれば、障子が使い勝手の良い折り戸又は開き戸であった場合でも、第１操作部、第２操作部、開閉部材が障子の軸支部に設けられているため、障子が開く際には開閉部材が障子とともに動くことになる。従って、第１操作部及び第２操作部のいずれか一方の操作中に、反対側から障子が開かれてしまった際にも、開閉部材が枠体や障子などに衝突して破損してしまうことなどを抑制することができる。
【００１３】
第４の発明は、第１又は第２の発明において、前記障子は、前記枠体に軸支される軸支部と、前記軸支部から横方向に離れた位置に設けられた戸先部と、を有し、前記枠体に対して前記軸支部を軸に前記開口部を開閉可能に支持される折り戸又は開き戸であり、前記枠体は、前記軸支部に隣接する隣接部を有し、前記開閉部材と前記第１操作部と前記第２操作部とは、前記枠体の前記隣接部に設けられていることを特徴とする建具である。
【００１４】
この建具によれば、障子が使い勝手の良い折り戸又は開き戸であった場合でも、第１操作部、第２操作部、開閉部材が枠体の隣接部に設けられているため、第１操作部及び第２操作部のいずれか一方の操作中に、反対側から障子が開かれてしまった際にも、開閉部材が枠体や障子などに衝突して破損してしまうことなどを抑制することができる。
【発明の効果】
【００１５】
本発明の態様によれば、使い勝手を向上させた建具を提供することができる。
【図面の簡単な説明】
【００１６】
【図１】第１の実施形態に係る建具を模式的に表す正面図である。
【図２】第１の実施形態に係る建具を模式的に表す正面図である。
【図３】図３（ａ）〜図３（ｃ）は、第１の実施形態に係る建具の一部を模式的に表す断面図である。
【図４】第１の実施形態に係る開閉部材を模式的に表す斜視図である。
【図５】図５（ａ）〜図５（ｃ）は、第２の実施形態に係る建具の一部を模式的に表す断面図である。
【図６】図６（ａ）及び図６（ｂ）は、第２の実施形態に係る建具の変形例を模式的に表す断面図である。
【図７】図７（ａ）〜図７（ｃ）は、第３の実施形態に係る建具の一部を模式的に表す断面図である。
【発明を実施するための形態】
【００１７】
以下、本発明の実施の形態について図面を参照しつつ説明する。なお、各図面中、同様の構成要素には同一の符号を付して詳細な説明は適宜省略する。
【００１８】
（第１の実施形態）
図１及び図２は、第１の実施形態に係る建具を模式的に表す正面図である。  
図１及び図２に表したように、建具１０は、枠体２０と、障子３０と、を備える。建具１０は、浴室と脱衣室との間に設置して使用される浴室用の建具である。
【００１９】
枠体２０は、浴室と脱衣室とを連通させる開口部２２を有する。開口部２２は、例えば、略矩形状である。枠体２０は、例えば、略矩形の枠状である。
【００２０】
障子３０は、開口部２２を開閉可能に枠体２０に支持される。障子３０は、例えば、第１扉部３１と、第２扉部３２と、を有する。第１扉部３１は、枠体２０に軸支される軸支部３３を有する。軸支部３３は、上下方向を軸に枠体２０に軸支される。第２扉部３２は、軸支部３３から横方向に離れた位置に設けられた戸先部３４を有する。軸支部３３は、換言すれば、障子３０の一方の側端であり、戸先部３４は、換言すれば、障子３０の他方の側端である。障子３０は、枠体２０に対して軸支部３３を軸に浴室側へ動くことで開口部２２を開閉可能に軸支される。
【００２１】
第１扉部３１及び第２扉部３２は、例えば、略矩形の平板状である。第１扉部３１及び第２扉部３２の上下方向の長さは、開口部２２の上下方向の長さと実質的に同じか、僅かに短い程度である。第１扉部３１及び第２扉部３２の横方向の長さは、開口部２２の横方向の長さの半分の長さと実質的に同じか、僅かに短い程度である。これにより、図１に表したように、第１扉部３１と第２扉部３２とを横に並べて配置することで、開口部２２を閉じることができる。
【００２２】
上記のように、軸支部３３は、上下方向を軸に枠体２０に軸支されている。第１扉部３１の軸支部３３と反対側の側端は、第２扉部３２の戸先部３４と反対側の端部と回動可能に接続されている。第２扉部３２の戸先部３４は、上下方向を軸に回動可能、且つ横方向にスライド移動可能に枠体２０に支持されている。これにより、図２に表したように、第１扉部３１を軸支部３３を軸に回動させるとともに、第２扉部３２を回動させながら軸支部３３側にスライド移動させることにより、開口部２２を開くことができる。
【００２３】
このように、障子３０は、開口部２２を閉じる閉じ位置（図１に表した位置）と、開口部２２を開いた開き位置（例えば図２に表した位置）と、に移動する。障子３０で開口部２２を閉じることにより、浴室と脱衣室とを仕切ることができる。そして、障子３０で開口部２２を開くことにより、浴室への入退室が可能になる。
【００２４】
この例において、障子３０は、いわゆる折り戸である。第１扉部３１及び第２扉部３２は、開き位置に移動する際、浴室側（図１及び図２において紙面手前側）に向かって回動する。これにより、障子３０を開いた際に、第１扉部３１及び第２扉部３２の浴室側の面に付着した水滴が、脱衣室側に垂れ落ちてしまうことを抑制することができる。
【００２５】
なお、障子３０は、折り戸に限ることなく、開口部２２の形状に対応した一枚の扉部で開口部２２を開閉する開き戸でもよい。開き戸の場合には、一枚の扉部の一方の側端が軸支部３３となり、他方の側端が戸先部３４となる。また、開き戸の場合も同様に、障子３０は、浴室側に向かって回動する。障子３０は、折り戸又は開き戸に限ることなく、例えば、引き戸などでもよい。
【００２６】
図３（ａ）〜図３（ｃ）は、第１の実施形態に係る建具の一部を模式的に表す断面図である。  
図３（ａ）〜図３（ｃ）は、図１のＡ１−Ａ２線断面を模式的に表す。図３（ａ）及び図３（ｂ）は、障子３０が閉じ位置にある状態を模式的に表し、図３（ｃ）は、障子３０が開き位置にある状態を模式的に表す。
【００２７】
図３（ａ）〜図３（ｃ）に表したように、建具１０は、通気部４０と、開閉部材４２と、第１操作部５１と、第２操作部５２と、をさらに備える。通気部４０は、枠体２０と障子３０との間に設けられる。通気部４０は、例えば、障子３０の軸支部３３と枠体２０との間に設けられる。但し、通気部４０の位置は、これに限ることなく、枠体２０と障子３０との間の任意の位置でよい。例えば、通気部４０は、枠体２０と戸先部３４との間に設けてもよい。
【００２８】
通気部４０は、障子３０で仕切られる浴室側と脱衣室側とを連通させる。これにより、例えば、浴室内で換気扇などを駆動した際に、脱衣室側から浴室側へ向かう空気の流れを通気部４０を介して形成し、浴室内の換気効率を向上させることができる。通気部４０は、換言すれば、換気経路である。
【００２９】
開閉部材４２は、通気部４０を開閉する。開閉部材４２は、例えば、障子３０の軸支部３３から延出するように設けられる。通気部４０を開いた場合には、前述のように、浴室内の換気効率を向上させることができる。一方、通気部４０を閉じた場合には、例えば、浴室内でミストサウナを実施する際に、ミストが脱衣室側に漏れてしまうことを抑制することができる。
【００３０】
第１操作部５１及び第２操作部５２は、使用者の操作に応じて開閉部材４２を開閉動作させるための部材である。第１操作部５１は、軸支部３３の浴室側に設けられている。第１操作部５１は、例えば、軸支部３３において障子３０を閉じ位置にした状態で浴室側を向く面に設けられる。第２操作部５２は、軸支部３３の脱衣室側に設けられている。第２操作部５２は、例えば、軸支部３３において障子３０を閉じ位置にした状態で脱衣室側を向く面に設けられる。このように、この例では、開閉部材４２と第１操作部５１と第２操作部５２とが、障子３０の軸支部３３に設けられている。
【００３１】
開閉部材４２は、図３（ａ）に表したように通気部４０を閉じた閉状態と、図３（ｂ）に表したように通気部４０を開いた開状態と、に移動する。開閉部材４２は、例えば、横方向にスライド移動することにより、閉状態と開状態とに移動する。
【００３２】
建具１０は、連動機構５４をさらに備える。連動機構５４は、第１操作部５１と第２操作部５２とを連動させる。連動機構５４は、第１操作部５１と第２操作部５２とを接続するとともに、第１操作部５１と第２操作部５２とを開閉部材４２に接続する。これにより、第１操作部５１の操作に開閉部材４２と第２操作部５２とが連動するとともに、第２操作部５２の操作に開閉部材４２と第１操作部５１とが連動する。
【００３３】
第１操作部５１及び第２操作部５２は、横方向にスライド移動可能に軸支部３３に取り付けられている。これにより、第１操作部５１又は第２操作部５２を横方向に移動させることよって、連動機構５４を介して開閉部材４２が横方向に移動し、開閉部材４２が閉状態と開状態とに移動する。
【００３４】
枠体２０のうち、軸支部３３と隣接する隣接部２４は、軸支部３３と反対側に向かって凹む凹状である。隣接部２４は、換言すれば、軸支部３３と対向する面を開放させた四角筒状である。この例では、この隣接部２４の内部の空間が、通気部４０となる。
【００３５】
開閉部材４２は、通気部４０を閉じた閉状態において、枠体２０の内側且つ枠体２０の浴室側の内壁２０ａに当接する。換言すれば、開閉部材４２は、通気部４０の浴室側の内壁に当接する。
【００３６】
軸支部３３は、例えば、上下方向に延びる四角筒状である。軸支部３３は、開閉部材４２をスライド移動させるためのスリット部３３ａと、第１操作部５１をスライド移動させるためのスリット部３３ｂと、第２操作部５２をスライド移動させるためのスリット部３３ｃと、を有する。スリット部３３ａは、障子３０が閉じ位置にある状態において、通気部４０と対向する面に設けられる。スリット部３３ｂは、障子３０が閉じ位置にある状態において、浴室側を向く面に設けられる。スリット部３３ｃは、障子３０が閉じ位置にある状態において、脱衣室側を向く面に設けられる。
【００３７】
開閉部材４２は、例えば、第１延出部４２ａと、第２延出部４２ｂと、を有する。第１延出部４２ａは、障子３０が閉じ位置にある状態において、横方向に延びる。第１延出部４２ａの一端は、軸支部３３内に位置する。第１延出部４２ａの他端は、スリット部３３ａを介して軸支部３３の外側まで延びる。第２延出部４２ｂは、障子３０が閉じ位置にある状態において、第１延出部４２ａの他端から前後方向に延びる。この例において、第２延出部４２ｂは、障子３０が閉じ位置にある状態において、浴室側に向かって延びる。
【００３８】
連動機構５４は、例えば、障子３０が閉じ位置にある状態において、前後方向に延びる軸状である。連動機構５４は、軸支部３３内において第１延出部４２ａを貫通するように開閉部材４２に取り付けられ、開閉部材４２と接続される。連動機構５４の一端は、スリット部３３ｂに挿通され、スリット部３３ｂを介して第１操作部５１と接続されている。連動機構５４の他端は、スリット部３３ｃに挿通され、スリット部３３ｃを介して第２操作部５２と接続されている。
【００３９】
これにより、障子３０が閉じ位置にある状態において、第１操作部５１又は第２操作部５２を操作し、開閉部材４２、第１操作部５１、第２操作部５２、及び連動機構５４を紙面左側にスライド移動させることで、第２延出部４２ｂの先端が枠体２０の浴室側の内壁２０ａに当接し、開閉部材４２が閉状態となる。従って、この例では、第２延出部４２ｂの先端が、閉状態において枠体２０に当接する当接部４２ｃとなる。
【００４０】
そして、開閉部材４２が閉状態にある状態において、第１操作部５１又は第２操作部５２を操作し、開閉部材４２、第１操作部５１、第２操作部５２、及び連動機構５４を紙面右側にスライド移動させることで、第２延出部４２ｂの先端が枠体２０の浴室側の内壁２０ａから離間し、開閉部材４２が開状態となる。
【００４１】
浴室側に向かって延びる第２延出部４２ｂの少なくとも一部は、開閉部材４２を開状態とした時に、通気部４０内に位置する。これにより、開閉部材４２が開状態にある状態において、シャワーから吐水された水など、浴室側からの水が通気部４０の部分にかかったとしても、通気部４０を通じて脱衣室側へ入り込んでしまうことを抑制することができる。
【００４２】
また、第２延出部４２ｂの先端は、障子３０が閉じ位置にあり、且つ開閉部材４２が開状態にある状態において、枠体２０の浴室側の内壁２０ａの脱衣室側の端部２０ｂよりも浴室側に位置する。これにより、通気部４０の部分の水の通り抜けを、より確実に抑制することができる。
【００４３】
障子３０の軸支部３３の回転軸ＲＡから当接部４２ｃまでの最長の距離Ｌ１は、回転軸ＲＡから枠体２０における軸支部３３と向かい合う面までの最短の距離Ｌ２よりも短い。最長の距離Ｌ１は、例えば、開閉部材４２を開状態とした時の、回転軸ＲＡから第２延出部４２ｂの先端までの距離である。このように距離Ｌ１、Ｌ２を設定することにより、開閉部材４２で通気部４０を開閉する場合にも、障子３０の開閉の際に、開閉部材４２が枠体２０などに意図せず接触してしまうことを抑制することができる。
【００４４】
障子３０が閉じ位置にあり、開閉部材４２を開状態とした状態で、第１操作部５１及び第２操作部５２は、枠体２０から離れた位置に設置されている。これにより、例えば、第１操作部５１又は第２操作部５２と枠体２０との間に指を挟んでしまうことなどを抑制することができる。例えば、第１操作部５１及び第２操作部５２の操作性を向上させることができる。
【００４５】
図４は、第１の実施形態に係る開閉部材を模式的に表す斜視図である。  
図４に表したように、開閉部材４２の第１延出部４２ａ及び第２延出部４２ｂは、上下方向に延びる平板状である。換言すれば、開閉部材４２は、断面略Ｌ字の板状である。開閉部材４２は、可撓性を有する。開閉部材４２には、例えば、ゴム材料や樹脂材料などの可撓性を有する材料が用いられる。これにより、例えば、障子３０の開閉などの際に、開閉部材４２が意図せず枠体２０や障子３０と接触してしまった場合などにも、開閉部材４２が撓み、開閉部材４２の破損などを抑制することができる。
【００４６】
通気部４０及び開閉部材４２の上下方向の長さは、例えば、開口部２２（軸支部３３）の上下方向の長さに対して僅かに短い程度である。通気部４０及び開閉部材４２は、例えば、開口部２２の上下方向の略全体に設けられる。但し、通気部４０及び開閉部材４２の上下方向の長さは、開口部２２の上下方向の長さよりも短くてもよい。通気部４０及び開閉部材４２は、枠体２０と障子３０との間の少なくとも一部に設けられていればよい。枠体２０と障子３０との間の一部は、例えば、パッキンなどで気密性を有するように塞がれていてもよい。通気部４０及び開閉部材４２の上下方向の長さは、例えば、浴室において必要な換気量を満たすことができる任意の長さでよい。
【００４７】
また、図４に表したように、軸支部３３は、開閉部材４２の上端及び下端に対応して設けられ、開閉部材４２の開閉動作をガイドするガイド部３３ｄ、３３ｅを有する。ガイド部３３ｄは、開閉部材４２の第１延出部４２ａの上端から上方に突出するように設けられたガイド軸４２ｄと係合し、ガイド軸４２ｄを横方向（開閉動作の移動方向）にガイドするガイド溝である。同様に、ガイド部３３ｅは、開閉部材４２の第１延出部４２ａの下端から下方に突出するように設けられたガイド軸４２ｅと係合し、ガイド軸４２ｅを横方向にガイドするガイド溝である。
【００４８】
ガイド部３３ｄ、３３ｅの構成は、上記に限ることなく、開閉部材４２の開閉動作をガイド可能な任意の構成でよい。また、この例では、開閉部材４２の上端及び下端のそれぞれに対応するガイド部３３ｄ、３３ｅを設けているが、ガイド部は、これに限ることなく、開閉部材４２の上端及び下端の少なくとも一方に対応して設けられていればよい。
【００４９】
以上、説明したように、本実施形態に係る建具１０によれば、浴室側に１操作部５１を設けたので、入浴者が入浴途中にミストサウナを実施しようとした場合に、一度脱衣室側に移動する必要がない。そして、脱衣室側に第２操作部５２を設けたので、作業者が浴室内で換気扇などを駆動しようとした場合に、一度浴室側に移動する必要がない。従って、使い勝手を非常に向上させることができる。
【００５０】
また、建具１０は、第１操作部５１と第２操作部５２とを連動させる連動機構５４をさらに備えている。これにより、脱衣室にいる人が、第２操作部５２を視認することで、開閉部材４２の開閉の状態を認識することができる。例えば、入浴者が入浴中である際に、ミストサウナを実施している可能性があることを、第２操作部５２の状態を視認することで、脱衣室にいる人に認識させることができる。これにより、ミストサウナの実施中に誤って障子を開けてしまい、ミストを脱衣室側に漏らしてしまうなどの事態の発生を抑制することができる。
【００５１】
また、建具１０では、障子３０が使い勝手の良い折り戸又は開き戸であった場合でも、第１操作部５１、第２操作部５２、開閉部材４２が障子３０の軸支部３３に設けられているため、障子３０が開く際には開閉部材４２が障子３０とともに動くことになる。従って、第１操作部５１及び第２操作部５２のいずれか一方の操作中に、反対側から障子３０が開かれてしまった際にも、開閉部材４２が枠体２０や障子３０などに衝突して破損してしまうことなどを抑制することができる。また、開閉部材４２が可撓性を有することにより、開閉部材４２が枠体２０や障子３０などに衝突して破損してしまうことなどを、より確実に抑制することができる。
【００５２】
また、建具１０では、開閉部材４２が、通気部４０を閉じた閉状態において、枠体２０の内側且つ枠体２０の浴室側の内壁２０ａに当接する。これにより、開閉部材４２が動いた障子３０と衝突して破損してしまうことなどをより確実に抑制することができる。
【００５３】
また、建具１０では、障子３０の軸支部３３の回転軸ＲＡから当接部４２ｃまでの最長の距離Ｌ１が、回転軸ＲＡから枠体２０における軸支部３３と向かい合う面までの最短の距離Ｌ２よりも短い。これにより、開閉部材４２が動いた障子３０と衝突して破損してしまうことなどをより確実に抑制することができる。
【００５４】
また、建具１０では、軸支部３３が、開閉部材４２の上端及び下端の少なくとも一方に対応して設けられ、開閉部材４２の開閉動作をガイドするガイド部３３ｄ、３３ｅを有する。これにより、開閉部材４２をスムーズに開閉させることができ、使い勝手をさらに向上させることができる。
【００５５】
（第２の実施形態）
図５（ａ）〜図５（ｃ）は、第２の実施形態に係る建具の一部を模式的に表す断面図である。  
なお、上記第１の実施形態と機能・構成上実質的に同じものについては、同符号を付し、詳細な説明は省略する。また、図５（ａ）〜図５（ｃ）は、図３（ａ）〜図３（ｃ）と同様に、図１のＡ１−Ａ２線断面に相当する。  
図５（ａ）〜図５（ｃ）に表したように、本実施形態に係る建具１００では、開閉部材１４２、第１操作部１５１、第２操作部１５２、及び連動機構１５４が、枠体２０の隣接部２４に設けられている。
【００５６】
開閉部材１４２は、図５（ａ）に表したように通気部４０を開いた開状態と、図５（ｂ）に表したように通気部４０を閉じた閉状態と、に移動する。開閉部材１４２、第１操作部１５１、及び第２操作部１５２は、枠体２０の浴室側を向く面と直交する方向にスライド移動可能に枠体２０に取り付けられている。開閉部材１４２、第１操作部１５１、及び第２操作部１５２は、例えば、開口部２２と対向した状態において、前後方向にスライド移動可能に枠体２０に取り付けられる。このように、開閉部材１４２は、例えば、スライド移動することにより、閉状態と開状態とに移動する。
【００５７】
なお、「枠体２０の浴室側を向く面と直交する方向にスライド移動する」とは、厳密にこの方向に移動するものに限ることなく、少なくともこの方向に移動する成分を有するものであればよい。開閉部材１４２、第１操作部１５１、及び第２操作部１５２のスライド移動の方向は、例えば、枠体２０の浴室側を向く面と直交する方向に対して傾斜していてもよい。
【００５８】
開閉部材１４２は、連動機構１５４を介して第１操作部１５１及び第２操作部１５２と接続されている。連動機構１５４の浴室側の端部は、第１操作部１５１と接続されている。連動機構１５４の脱衣室側の端部は、第２操作部１５２と接続されている。また、連動機構１５４は、枠体２０の浴室側を向く面と直交する方向にスライド移動可能に枠体２０に取り付けられている。これにより、第１操作部１５１又は第２操作部１５２を操作することにより、連動機構１５４を介して開閉部材１４２がスライド移動する。
【００５９】
開閉部材１４２は、例えば、連動機構１５４との接続点から浴室側に向かって延びる。開閉部材１４２は、例えば、上下方向に延びる板状である。開閉部材１４２の上下方向の長さは、例えば、開口部２２（軸支部３３）の上下方向の長さに対して僅かに短い程度である。また、開閉部材１４２は、上記第１の実施形態の開閉部材４２と同様に、可撓性を有する。
【００６０】
枠体２０は、浴室側の内壁から脱衣室側に向かって延び、開閉部材１４２の枠体２０側を向く側面と当接する突出部２６を有する。また、軸支部３３は、障子３０が閉じ位置にある状態において、枠体２０側に向かって延びる突出部３３ｆを有する。突出部３３ｆは、例えば、上下方向に延びる平板状である。突出部３３ｆの上下方向の長さは、例えば、開閉部材１４２の上下方向の長さと実質的に同じである。
【００６１】
図５（ａ）に表したように、第１操作部１５１が枠体２０側へ押し込まれた状態では、開閉部材１４２が突出部３３ｆから離れる。これにより、開閉部材１４２が開状態となる。図５（ｂ）に表したように、第１操作部１５１を浴室側へ引くと、連動機構１５４を介して開閉部材１４２も浴室側に移動する。この際、開閉部材１４２は、突出部２６との当接によって弾性変形し、軸支部３３（障子３０）側に向かって傾斜する。換言すれば、開閉部材１４２は、突出部２６との当接によって弾性変形し、障子３０の側端面に向かって傾斜する。これにより、開閉部材１４２が突出部３３ｆの側端面（障子３０の側端面）に当接し、開閉部材１４２が閉状態となる。
【００６２】
このように、建具１００では、第１操作部１５１を浴室側へ引くことで、開閉部材１４２が障子３０の側端面に当接し、通気部４０を閉じた閉状態となる。そして、建具１００では、第１操作部１５１を枠体２０側へ押し込むことで、開閉部材１４２が障子３０の側端面から離れ、通気部４０を開いた開状態となる。
【００６３】
換言すれば、第２操作部１５２を枠体２０側へ押し込むことで、開閉部材１４２が障子３０の側端面に当接し、通気部４０を閉じた閉状態となり、第２操作部１５２を脱衣室側へ引くことで、開閉部材１４２が障子３０の側端面から離れ、通気部４０を開いた開状態となる。
【００６４】
なお、閉状態において開閉部材１４２の当接する障子３０の側端面は、突出部３３ｆの側端面に限ることなく、障子３０において、通気部４０側を向く任意の側端面でよい。開閉部材１４２の傾斜は、弾性変形によるものに限らない。例えば、開閉部材１４２を連動機構１５４に回動可能に軸支させ、突出部２６との当接によって回動させることにより、障子３０の側端面と当接するように開閉部材１４２を傾斜させてもよい。
【００６５】
突出部３３ｆの通気部４０側の側端は、例えば、通気部４０内に位置する。これにより、開閉部材１４２が開状態にある状態において、シャワーから吐水された水など、浴室側からの水が通気部４０の部分にかかったとしても、通気部４０を通じて脱衣室側へ入り込んでしまうことを抑制することができる。
【００６６】
枠体２０は、突出部２８をさらに有する。突出部２８は、枠体２０から障子３０側に向かって延びる。突出部２８は、例えば、突出部２６から障子３０に向かって延びる。突出部２８は、例えば、障子３０の突出部３３ｆよりも浴室側に配置される。換言すれば、突出部２８は、開閉部材１４２と当接する障子３０の側端面よりも浴室側に配置される。
【００６７】
このように突出部２８を設けることにより、通気部４０を介する脱衣室側への水の浸入をより抑制することができる。また、突出部２８の障子３０側の端部は、障子３０が閉じ位置にある状態において、突出部３３ｆの通気部４０側の端部よりも障子３０側に位置する。これにより、通気部４０を介する脱衣室側への水の浸入をより確実に抑制することができる。
【００６８】
枠体２０及び障子３０の少なくとも一方には、通気部４０を介する脱衣室側への水の浸入を抑制するための突出部などが設けられていることが好ましい。枠体２０及び障子３０は、水の浸入を抑制するための突出部などをさらに多く有していてもよい。突出部などの位置は、障子３０の開閉動作及び開閉部材１４２の開閉動作を阻害しない任意の位置でよい。但し、枠体２０や障子３０の形状などによって水の浸入を適切に抑制できる場合には、突出部などを設けなくてもよい。
【００６９】
以上、説明したように、本実施形態に係る建具１００によれば、障子３０が使い勝手の良い折り戸又は開き戸であった場合でも、第１操作部１５１、第２操作部１５２、開閉部材１４２が枠体２０の隣接部２４に設けられているため、第１操作部１５１及び第２操作部１５２のいずれか一方の操作中に、反対側から障子３０が開かれてしまった際にも、開閉部材１４２が枠体２０や障子３０などに衝突して破損してしまうことなどを抑制することができる。
【００７０】
また、建具１００では、第１操作部１５１を浴室側へ引くことで、開閉部材１４２が障子３０の側端面に当接し、通気部４０を閉じた閉状態となり、第１操作部１５１を枠体２０側へ押し込むことで、開閉部材１４２が障子３０の側端面から離れ、通気部４０を開いた開状態となる。これにより、開閉部材１４２が開状態及び閉状態のいずれの状態にある場合にも、開閉部材１４２が障子３０の開閉の妨げとなることを抑制し、障子３０を容易に開くことができる。
【００７１】
図６（ａ）及び図６（ｂ）は、第２の実施形態に係る建具の変形例を模式的に表す断面図である。  
なお、図６（ａ）及び図６（ｂ）は、図３（ａ）〜図３（ｃ）と同様に、図１のＡ１−Ａ２線断面に相当する。  
図６（ａ）及び図６（ｂ）に表したように、建具２００では、開閉部材２４２が、枠体２０と障子３０との間でスライド移動可能に枠体２０に取り付けられている。開閉部材２４２は、例えば、側方にスライド移動する。また、建具２００では、開閉部材２４２の浴室側の端部に第１操作部２５１が取り付けられ、開閉部材２４２の脱衣室側の端部に第２操作部２５２が取り付けられている。従って、建具２００では、第１操作部２５１及び第２操作部２５２も側方にスライド移動する。また、建具２００では、開閉部材２４２に突出部２８が設けられている。
【００７２】
建具２００では、開閉部材２４２、第１操作部２５１、及び第２操作部２５２を枠体２０側へ移動させることで、開閉部材２４２が障子３０（突出部３３ｆ）の側端面から離れ、通気部４０を開いた開状態となる。そして、開閉部材２４２、第１操作部２５１、及び第２操作部２５２を障子３０側へ移動させることで、開閉部材２４２が障子３０（突出部３３ｆ）の側端面に当接し、通気部４０を閉じた閉状態となる。
【００７３】
このように、開閉部材２４２は、枠体２０と障子３０との間でスライド移動させるようにしてもよい。この場合にも、上記実施形態と同様に、開閉部材２４２が開状態及び閉状態のいずれの状態にある場合にも、開閉部材４２が障子３０の開閉の妨げとなることを抑制し、障子３０を容易に開くことができる。
【００７４】
また、建具２００では、開閉部材２４２自体に第１操作部２５１及び第２操作部２５２が取り付けられており、連動機構が省略されている。このように、開閉部材２４２によって第１操作部２５１と第２操作部２５２とを連動させてもよい。連動機構は、必要に応じて設けられ、省略可能である。
【００７５】
（第３の実施形態）
図７（ａ）〜図７（ｃ）は、第３の実施形態に係る建具の一部を模式的に表す断面図である。  
図７（ａ）〜図７（ｃ）は、図３（ａ）〜図３（ｃ）と同様に、図１のＡ１−Ａ２線断面に相当する。  
図７（ａ）〜図７（ｃ）に表したように、本実施形態に係る建具３００では、開閉部材３４２が、連動機構３５４との接続点から脱衣室側に向かって延びる。この例おいても、開閉部材３４２は、上記第２の実施形態の開閉部材１４２などと同様に、上下方向に延びる板状である。
【００７６】
軸支部３３は、障子３０が閉じ位置にある状態において、枠体２０側に向かって延びる突出部３３ｇを有する。突出部３３ｇは、例えば、上下方向に延びる平板状である。突出部３３ｇの上下方向の長さは、例えば、開閉部材３４２の上下方向の長さと実質的に同じである。
【００７７】
図７（ａ）に表したように、第１操作部３５１が浴室側へ引かれた状態では、開閉部材３４２が突出部３３ｇから離れる。これにより、開閉部材３４２が開状態となる。図７（ｂ）に表したように、第１操作部３５１を枠体２０側へ押し込むと、連動機構３５４を介して開閉部材３４２も脱衣室側に移動する。この際、開閉部材３４２は、突出部３３ｇの浴室側の面に当接する。これにより、開閉部材３４２が閉状態となる。
【００７８】
このように、建具３００では、第１操作部３５１を枠体２０側へ押し込むことで、開閉部材３４２が障子３０の浴室側の面に当接し、通気部４０を閉じた閉状態となる。そして、第１操作部３５１を浴室側へ引くことで、開閉部材３４２が障子３０の浴室側の面から離れ、通気部４０を開いた開状態となる。
【００７９】
換言すれば、建具３００では、第２操作部３５２を脱衣室側へ引くことで、開閉部材３４２が障子３０の浴室側の面に当接し、通気部４０を閉じた閉状態となり、第２操作部３５２を枠体２０側へ押し込むことで、開閉部材３４２が障子３０の浴室側の面から離れ、通気部４０を開いた開状態となる。なお、閉状態において開閉部材３４２の当接する障子３０の浴室側の面は、突出部３３ｇの浴室側の面に限ることなく、障子３０において、浴室側を向く任意の面でよい。
【００８０】
本実施形態に係る建具３００においても、上記第２の実施形態の建具１００と同様に、開閉部材３４２が開状態及び閉状態のいずれの状態にある場合にも、開閉部材３４２が障子３０の開閉の妨げとなることを抑制し、障子３０を容易に開くことができる。このように、開閉部材の構成は、枠体２０に設けられ、通気部４０を開閉可能な任意の構成でよい。
【００８１】
例えば、図６に関して説明した建具２００と同様に、開閉部材３４２、第１操作部３５１、及び第２操作部３５２を枠体２０側へ移動させることで、開閉部材３４２が障子３０の浴室側の面から離れ、通気部４０を開いた開状態となり、開閉部材３４２、第１操作部３５１、及び第２操作部３５２を障子３０側へ移動させることで、開閉部材３４２が障子３０の浴室側の面に当接し、通気部４０を閉じた閉状態となるようにしてもよい。
【００８２】
建具３００では、障子３０が、開口部２２を閉じた状態において軸支部３３から枠体２０に向かって延出し、少なくとも一部が通気部４０内に位置する延出部６０を、さらに有する。
【００８３】
このように、延出部６０を設けることにより、シャワーから吐水された水など、浴室側からの水が通気部４０の部分にかかったとしても、通気部４０を通じて脱衣室側へ入り込んでしまうことを抑制することができる。
【００８４】
延出部６０は、例えば、第１部分６０ａと、第２部分６０ｂと、を有する。第１部分６０ａは、障子３０が閉じ位置にある状態において、通気部４０に向かって延びる。第２部分６０ｂは、障子３０が閉じ位置にある状態において、第１部分６０ａの通気部４０側の端部から前後方向に延びる。この例において、第２部分６０ｂは、障子３０が閉じ位置にある状態において、浴室側に向かって延びる。第１部分６０ａの通気部４０側の端部は、通気部４０内に位置する。第２部分６０ｂは、通気部４０内に位置する。
【００８５】
このように、第１部分６０ａ及び第２部分６０ｂを設けることにより、通気部４０の部分の水の通り抜けを、より確実に抑制することができる。但し、延出部６０の構成は、上記に限ることなく、通気部４０の部分の水の通り抜けを抑制可能な任意の構成でよい。また、延出部６０は、障子３０に限ることなく、枠体２０に設けてもよい。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、建具１０、１００、２００、３００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
１０、１００、２００、３００ 建具、  ２０ 枠体、  ２２ 開口部、  ２４ 隣接部、  ３０ 障子、  ３１ 第１扉部、  ３２ 第２扉部、  ３３ 軸支部、  ３４ 戸先部、  ４０ 通気部、  ４２、１４２、２４２、３４２ 開閉部材、  ５１、１５１、２５１、３５１ 第１操作部、  ５２、１５２、２５２、３５２ 第２操作部、  ５４、１５４、３５４ 連動機構、  ６０ 延出部
【図１】
2019143435.tif 000003
【図２】
2019143435.tif 000004
【図３】
2019143435.tif 000005
【図４】
2019143435.tif 000006
【図５】
2019143435.tif 000007
【図６】
2019143435.tif 000008
【図７】
2019143435.tif 000009